(57)【特許請求の範囲】
【請求項１】
出窓サッシの下方に設けたエアコン収納空間に、室内機と室外機とを一体化したエアコンユニットを収納固定するための出窓エアコン固定構造であって、
エアコン収納空間の下部には、エアコンユニット支持板と、このエアコンユニット支持板上に並設されエアコンユニットの室内側下部、中央付近の下部、室外側下部をそれぞれ支持する室内側支持部材、中間支持部材及び室外側支持部材からなるエアコン支持部を設け、
このエアコン支持部を構成する中間支持部材、室内側支持部材及びエアコンユニット支持板によって前記エアコンユニットから出るドレン水を室外に排水処理するための室内水排水空間を形成し、
前記エアコン支持部を構成する中間支持部材、室外側支持部材及びエアコンユニット支持板によって室外からエアコンユニット内へ吹き込む雨水を室外に排水処理するための雨水排水空間を形成するとともに、
前記エアコン支持部を構成する室外側支持部材に、エアコンユニットの室外側を係止するストッパーを設け、
前記エアコンユニットの室内側の底面とエアコン支持部を構成する室内側支持部材とが接触する部分の方が、エアコンユニットの室外側の底面とエアコン支持部を構成する室外側支持部材とが接触する部分よりも高位となるように形成したことを特徴とする出窓エアコン固定構造。
【請求項２】
エアコン支持部には、エアコンユニットの底面と接触するローラーが設けられていることを特徴とする請求項１記載の出窓エアコン固定構造。
【発明の詳細な説明】
【０００１】
【産業上の利用分野】
この発明は出窓エアコン固定構造、更に詳しくは、室内機と室外機とを一体化したエアコンユニットを、出窓サッシの下方に設けたエアコン収納空間に収納する場合の出窓エアコン固定構造に関する。
【０００２】
【従来の技術】
室内の温度調節を行わせる空気調和機（エアコン）は、室内機と室外機とを備えて形成されているが、近年では、室内空間の有効利用やエアコンの運転音の軽減などのため、室内機を隠す工夫がなされてきた。
一方、建物の室内空間への採光と室内外のアクセントとを兼ねて、従来より出窓サッシが用いられてきた。
【０００３】
そこで、エアコン本体を出窓サッシの下方空間または上方空間に設けるという技術、例えば図６にその概略を示す実開昭５７−１２５９２１号が提供されるようになった。
この実開昭５７−１２５９２１号に示される技術は、図６を参照させながら説明すると、建物の構造体から室外側へ突出した出窓サッシ収納空間１には、出窓サッシ２が取り付けられている。この出窓サッシ２の室内側の上部には、エアコンの室内機３を固定し、出窓サッシ２の下方空間にエアコンの室外機４を収納して固定している。
【０００４】
この技術によれば、エアコン本体の設置場所や管理並びにエアコンによる騒音問題を解消できる、という効果がある。
その後、出窓サッシ２の下方空間または上方空間にエアコン本体を収納する技術は、普通名詞のように「出窓エアコン」とまで言われるようになり、数多く提供されるようになった。
【０００５】
【発明が解決しようとする課題】
ところで、近年では、室内機と室外機とを一体化したエアコン本体も提供されるようになった。
しかし、そのようなエアコン本体を出窓エアコンとして用いることについては、以下のような問題点があった。即ち、室内機と室外機とを一体化したエアコン本体はかなりの重量があり、出窓サッシの下方空間または上方空間に設けたエアコン収納空間へ納める作業が大変であった。
【０００６】
本発明が解決すべき課題は、室内機と室外機とを一体化したエアコン本体を、出窓サッシの下方空間に設けたエアコン収納空間へ納める作業を簡易化することができる出窓エアコン固定構造を提供することにある。
【０００７】
【課題を解決するための手段】
本発明は、上記した目的を達成するためのものである。
請求項１記載の出窓エアコン固定構造は、出窓サッシ(40)の下方に設けたエアコン収納空間に、室内機と室外機とを一体化したエアコンユニット(50)を収納固定するための出窓エアコン固定構造であって、エアコン収納空間の下部には、エアコンユニット支持板(31)と、このエアコンユニット支持板(31)上に並設されエアコンユニット(50)の室内側下部、中央付近の下部、室外側下部をそれぞれ支持する室内側支持部材(36)、中間支持部材(35)及び室外側支持部材(34)からなるエアコン支持部を設け、このエアコン支持部を構成する中間支持部材(35)、室内側支持部材(36)及びエアコンユニット支持板(31)によって前記エアコンユニット(50)から出るドレン水を室外に排水処理するための室内水排水空間(38A) を形成し、前記エアコン支持部を構成する中間支持部材(35)、室外側支持部材(34)及びエアコンユニット支持板(31)によって室外からエアコンユニット(50)内へ吹き込む雨水を室外に排水処理するための雨水排水空間(39A) を形成するとともに、前記エアコン支持部を構成する室外側支持部材(34)に、エアコンユニット(50)の室外側を係止するストッパー(34A) を設け、前記エアコンユニット(50)の室内側の底面とエアコン支持部を構成する室内側支持部材(36)とが接触する部分の方が、エアコンユニット(50)の室外側の底面とエアコン支持部を構成する室外側支持部材(34)とが接触する部分よりも高位となるように形成したことを特徴とする。
【０００８】
請求項２記載の出窓エアコン固定構造は、請求項１記載の出窓エアコン固定構造を技術的に限定したものである。即ち、エアコン支持部(36)には、エアコンユニット(50)の底面と接触するローラー(37)が設けられていることを特徴とする。
【０００９】
【作用】
請求項１記載の出窓エアコン固定構造によれば、以下のような作用を奏する。
即ち、エアコンユニット(50)をエアコン収納空間に固定するには、まず、エアコンユニット(50)の室外側の底面を、エアコン支持部(31,34,35,36) における室内側の接触部分である室内側支持部材(36)に接触させ、エアコンユニット(50)を室外側に向かって押し込む。すると、エアコンユニット(50)の室内側の底面とエアコン支持部とが接触する部分である室内側支持部材(36)の方が、エアコンユニット(50)の室外側の底面とエアコン支持部とが接触する部分である室外側支持部材(34)よりも高位であるので、エアコンユニット(50)は、室外側に向かって滑らかに移動し、エアコン支持部の室外側支持部材(34)に設けたストッパー(34A) により室外側の端部を係止された状態で、エアコン収納空間に収納される。
【００１０】
請求項２記載の出窓エアコン固定構造によれば、上記の作用の他、以下のような作用を奏する。
即ち、ローラー（３７）が、エアコンユニット（５０）の底面とエアコン支持部（３１，３４，３５，３６）  との接触による抵抗を軽減するので、エアコンユニット（５０）は、室外側に向かってより滑らかに移動し、エアコン収納空間に収納される。
【００１１】
【実施例】
以下、本発明を実施例及び図面に従って、更に詳しく説明する。ここで使用する図面は、図１乃至図５である。図１は、出窓サッシを室内側から見た正面図である。図２は、本実施例の垂直断面図である。図３は、エアコンユニットを示す正面図である。図４は、エアコンユニットを示す側面図である。図５は、エアコンユニットを示す底面図である。
【００１２】
まず、本実施例の構成について、図２を用いて説明する。
出窓が設けられる建造物の構造材１０は、芯材を不燃性パネルで覆って形成された壁パネル１１、その壁パネル１１の室内側を覆う内壁材１２、及び壁パネル１１の室外側を覆う外壁材１３とを有して形成されている。その構造材１０に開口部を設け、その開口部の上側に出窓サッシ取付構造を、開口部の下側にエアコンユニット取付構造をそれぞれ設けている。そして、出窓サッシ取付構造の室外側に出窓サッシ４０を、エアコンユニット取付構造の内側には室内機と室外機とを一体化したエアコンユニット５０を、それぞれ設けている。
【００１３】
出窓サッシ取付構造は、構造材１０の開口部の直下から室外側へ突出して固定されるとともに出窓サッシ４０の上部を支持する出窓屋根材２１と、出窓サッシ４０の下部を支持するとともに出窓サッシ取付構造とエアコンユニット取付構造との境界となる出窓下材２４とを有して形成されている。出窓屋根材２１は、木製の板からなる屋根芯材２１Ａと、その屋根芯材２１Ａの室外側の表面及び出窓サッシ４０との衝接面とを覆う防水性のある防水薄板２１Ｂとからなる。
屋根芯材２１Ａは、本実施例では木製の板であるとしたが、成型によって製造するよりも簡易に製造、加工できる材質であれば、木製に限られない。また、防水薄板２１Ｂは、本実施例では塩ビ鋼板を用いたが、防水性や耐久性があれば、例えばアルミ板でもよい。
【００１４】
壁パネル１１と出窓屋根材２１とが交差する角部の室外側には、アングル材２６を押し当て、防水薄板２１Ｂの室内方向の端部がアングル材２６の壁パネル１１室外側の表面までを覆い、埋め込み固定部材２７によって防水薄板２１Ｂとアングル材２６とを屋根芯材２１Ａに固定している。そのようなアングル材２６及び埋め込み固定部材２７付近を含めた壁パネル１１室外側は、外壁材１３で覆われ、その外壁材１３と防水薄板２１Ｂとの間は充填材１４で充填される。屋根芯材２１Ａの室内側の表面は、内壁材２２で覆われているが、その内壁材２２の室外側の端部と出窓サッシ４０との間には、内壁材２２の下面と面一となるような取り付け補助材２３が設けられている。
【００１５】
出窓下材２４もまた、木製の板からなる出窓下芯材２４Ａと、その出窓下芯材２４Ａの室外側の表面及び出窓サッシ４０との衝接面とを覆う塩ビ鋼板製の防水薄板２４Ｂとからなる。このような出窓下材２４の上部には、化粧板２５が固定される。出窓下材２４もまた、屋根芯材２１Ａと同様、木製に限られない。また、防水薄板２４Ｂも防水薄板２１Ｂと同様、防水性や耐久性があれば、例えばアルミ板でもよい。
【００１６】
上記のように形成された出窓サッシ取付構造には、出窓サッシ４０が取り付けられるが、出窓サッシ４０についての詳しい説明は省略する。なお、出窓屋根材２１に相当する部分が設けられているような出窓サッシもあるが、そのような出窓サッシを取り付ける場合の出窓サッシ取付構造には、出窓屋根材２１は不要となる。
【００１７】
続いて、図２及び図３を用いて、エアコンユニット５０について説明する。
エアコンユニット５０は、その室内側に室内機ユニット５１を、室外側に室外機ユニット５５を設けている。また、エアコンユニット５０の側部には、水切り板５４を設けている。また、エアコンユニット５０の底板下表面５０Ａは、室内側から室外側へ下方傾斜させている。
【００１８】
室内機ユニット５１の室内側には、その上部に室内吹出口５１Ｂを、その室内吹出口５１Ｂの下方に室内吸い込み口５１Ａを備え、それらの室内側に室内ルーバー５２を設けている。また、室内機ユニット５１の下部の室外機ユニット５５側には、エアコンユニット５０内で発生するドレン水をエアコンユニット５０の外へ排出するためのドレン穴５３を備えている。
【００１９】
室外機ユニット５５の室外側には、その上部に室外吸い込み口５５Ａを、その室外吸い込み口５５Ａの下方に室外吹出口５５Ｂを備え、それらの室外側に室外ルーバー５６を設けている。また、室外機ユニット５５の下部には、室外ルーバー５６を越えてエアコンユニット５０内へ吹き込む雨水をエアコンユニット５０の外へ排出するための雨水排水穴５７を備えている。
【００２０】
続いて、エアコンユニット取付構造について説明する。
エアコンユニット取付構造は、出窓サッシ取付構造の出窓下材２４の下方空間たるエアコン収納空間に設けられるものであり、そのエアコン収納空間の下部には、エアコン支持部が設けられている。そのエアコン支持部は、エアコンユニット取付構造の下面部分を形成するエアコンユニット支持板３１、そのエアコンユニット支持板３１の上部室外側に設けられてエアコンユニット５０の室外側下部を支持する室外側支持部材３４、エアコンユニット支持板３１の上部室内側に設けられてエアコンユニット５０の室内側下部を支持する室内側支持部材３６、及び室外側支持部材３４と室内側支持部材３６との間に設けられてエアコンユニット５０の中央付近下部を支持する中間支持部材３５を備えて形成されている。
エアコンユニット支持板３１、室内側支持部材３６、室外側支持部材３４、及び中間支持部材３５もまた、成型によって製造するよりも簡易に製造、加工できる材質である木製の板材で形成されている。
【００２１】
エアコン支持部においては、室内側支持部材３６の上面のほうが、室外側支持部材３４よりも高位となるように形成している。また、室内側支持部材３６には、エアコンユニット５０の底板下表面５０Ａに接触して回転するローラー３７を備えている。このローラー３７により、エアコンユニット５０を載置固定し易くなっている。
【００２２】
エアコンユニット支持板３１の上方における室外側支持部材３４と中間支持部材３５との間には室外排水構造３９を、エアコンユニット支持板３１の上方における中間支持部材３５と室内側支持部材３６との間には室内排水構造３８をそれぞれ独立して設けている。従って、室外側支持部材３４、室内側支持部材３６及び中間支持部材３５の外表面と、エアコンユニット支持板３１における室外排水構造３９及び室内排水構造３８の上面とが、エアコンユニット５０の下方空間の表面となる。
【００２３】
そのエアコンユニット５０の下方空間の表面と、エアコンユニット支持板３１の下面及び室外側面とは、一枚の塩ビ鋼板製の防水薄板３１Ｂにて覆われている。その防水薄板３１Ｂの端部の処理は、出窓屋根材２１の場合と同様である。即ち、壁パネル１１とエアコンユニット支持板３１とが交差する角部には、アングル材３２を押し当て、防水薄板３１Ｂの室内側の端部がアングル材３２の壁パネル１１室外側の表面を覆い、埋め込み固定部材３３によって防水薄板３１Ｂとアングル材３２とを支持板芯材３１Ａに固定している。そのようなアングル材３２及び埋め込み固定部材３３付近を含め、壁パネル１１の室外側は、外壁材１３で覆われ、その外壁材１３と防水薄板３１Ｂとの間は充填材１４で充填される。
【００２４】
室内排水構造３８は、エアコンユニット５０から出るドレン水を処理するためのものであり、中間支持部材３５、室内側支持部材３６、及びエアコンユニット支持板３１の表面を覆う防水薄板３１Ｂによって囲まれた室内水排水空間３８Ａと、その室内水排水空間３８Ａの下部に連結されてドレン水を排出するドレン水排水パイプ３８Ｂとからなる。
【００２５】
室外排水構造３９は、室外ルーバー５６からエアコンユニット５０へ吹き込む雨水を処理するためのものであり、中間支持部材３５、室外側支持部材３４及びエアコンユニット支持板３１の表面を覆う防水薄板３１Ｂによって囲まれた雨水排水空間３９Ａと、その雨水排水空間３９Ａの下部に連結されてドレン水を排出する雨水排水パイプ３９Ｂとからなる。
【００２６】
続いて、上記実施例の作用について説明する。
まず、建物の壁パネル１１に開口部を形成し、その開口部に出窓サッシ固定用開口部を形成する。その出窓サッシ固定用開口部は、屋根芯材２１Ａ及び出窓下芯材２４Ａを加工し、それら芯材２１Ａ，２４Ａの室外側の表面及び出窓サッシ４０との衝接面を防水薄板２１Ｂ，２４Ｂにて覆うことによって形成する。
【００２７】
また、壁パネル１１と出窓屋根材２１とが交差する角部の室外側には、アングル材２６を押し当てる。そして、屋根芯材２１Ａの室外側の表面を覆った防水薄板２１Ｂの室内方向の端部は、アングル材２６の室外側の表面を覆わせ、埋め込み固定部材２７によって防水薄板２１Ｂとアングル材２６とを屋根芯材２１Ａに固定することによって、出窓サッシ取付構造を完成させる。
【００２８】
このようにして形成された出窓サッシ取付構造の出窓屋根材２１及び出窓下材２４に対し、出窓サッシ４０を取り付ける。芯材２１Ａ，２４Ａの室外側の表面は、防水薄板２１Ｂ，２４Ｂにて覆われており、アングル材２６によって角部も固定されているので、雨や雪に対しての防水性は担保されている。
出窓サッシ４０との衝接面もまた防水薄板２１Ｂ，２４Ｂにて覆われているので、出窓サッシ４０と出窓屋根材２１または出窓下材２４との隙間の防水性は担保されている。
【００２９】
アングル材２６及び埋め込み固定部材２７付近を含めた壁パネル１１室外側は、外壁材１３で覆い、その外壁材１３と防水薄板２１Ｂとの間は充填材１４で充填しているので、外壁材１３と防水薄板２１Ｂとの間の防水性が担保されている。従って、壁パネル１１の防水性も担保されている。
続いて、エアコンユニット５０の固定構造の作用を説明する。
【００３０】
エアコンユニット５０をエアコン収納空間に固定するには、まず、エアコンユニット５０の底板下表面５０Ａの室外側を、緩衝材３６Ａを介在させて、室内側支持部材３６に接触させ、エアコンユニット５０を室外側に向かって押し込む。すると、室内側支持部材３６にローラー３６が、エアコンユニット５０の底板下表面５０Ａとの接触による抵抗を軽減するので、エアコンユニット５０は、室外側に向かってより滑らかに移動する。そして、緩衝材３５Ａを介在させた中間支持部材３５を過ぎて、室外側支持部材３４に設けてあるストッパー３４Ａへ、緩衝材３４Ｂを介在させて接触する。
【００３１】
エアコン支持部においては、室内側支持部材３６の上面のほうが、室外側支持部材３４よりも高位となるように形成しているので、エアコンユニット５０は、室外側に向かって滑らかに移動し、その室外側の端部がストッパー３４Ａに係止された状態で、エアコン収納空間に収納され、その後固定される。
続いて、出窓エアコン４０の排水構造の作用について説明する。
【００３２】
エアコンユニット５０が運転している際に発生するドレン水は、ドレン穴５３から室内水排水空間３８Ａに導かれて排出される。
一方、室外ルーバー５６を越えてエアコンユニット５０に雨水が吹き込んだ場合には、その雨水は、雨水排水穴５７から雨水排水空間３９Ａに導かれ、雨水排水パイプ３９Ｂから排出される。風を伴った雨水であっても、雨水排水空間３９Ａは、室内水排水空間３８Ａとは別に独立して設けられているので、室内水排水空間３８Ａを通じて室内に吹き込むことはない。
【００３３】
また、エアコン支持部は、出窓サッシ４０やエアコンユニット５０の形状に合わせた形状としなければならないが、その作製は、まず、エアコン支持部に必要な形状を、加工容易な材質で形成された芯材３１Ａ，３４，３５，３６にて作製する。従って、成型による加工よりも安価で容易に作製できる。そして、作製された芯材３１Ａ，３４，３５，３６を防水薄板３１Ｂで覆えば、エアコン支持部が作製できる。
【００３４】
次に、上記実施例の効果について説明する。
まず、エアコンユニット５０へ吹き込む雨水をエアコンユニット５０の外部へ排出するための雨水排水空間３９Ａを、ドレン水をエアコンユニットから外部へ排出するための室内水排水空間３８Ａとは別に独立させて設けたので、風を伴って吹き込む雨水であっても、室内に吹き込むことがない。
このように形成したため、室内機ユニット５１と室外機ユニット５５とを一体化したエアコンユニットであっても、出窓エアコンとして採用できるという効果がある。
【００３５】
また、出窓サッシ４０やエアコンユニット５０の形状に合わせた形状にて作製しなければならないエアコン支持部を、加工が容易な木板で形成された芯材３１Ａ，３４，３５，３６にて作製すればよく、必要な防水性も防水薄板３１Ｂにて簡易に担保できる。従って、成型による作製よりも作製の手間が小さく、コストも小さいという効果がある。
【００３６】
また、エアコンユニット５０の底板下表面５０Ａを室内側から室外側へと傾斜させるとともに、室内側支持部材３６の上面のほうが、室外側支持部材３４よりも高位となるように形成し、更にローラー３７を設けたので、エアコンユニットの取付時のエアコンユニット５０の移動を滑らかにした。このため、エアコンユニットはかなりの重量があるが、作業者が極めて簡易に取付作業を行えるという効果がある。
【００３７】
また、出窓サッシの取付構造にあっては、加工が容易な屋根芯材２１Ａ及び出窓下芯材２４Ａを加工し、それら芯材２１Ａ，２４Ａの室外側の表面及び出窓サッシ４０との衝接面を防水薄板２１Ｂ，２４Ｂにて覆うことによって形成できるので、成型による作製よりも作製の手間が小さく、コストも小さいという効果がある。そして、その必要な防水性は、アングル材２６，３２、埋め込み固定部材２７，３３、外壁材１３、及び充填材１４で担保されており、雨や雪に対しても心配なく使用できる。
【００３８】
以下、上記実施例のバリエーションについて説明する。
上記実施例では、エアコンユニット５０の底板下表面５０Ａを、室内側から室外側へと向かって下方傾斜させて形成したが、室内側支持部材３６の上面のほうが、室外側支持部材３４よりも高位となるように形成してあれば、エアコンユニット５０の底板下表面５０Ａを傾斜させて形成する必要はない。
【００３９】
一方、エアコンユニット５０の底板下表面５０Ａから突出した外周面を有するローラーを設けたとしても、エアコンユニット５０を、出窓サッシ４０の下方空間に設けたエアコン収納空間へ納める作業を簡易化することができる。
【００４０】
【発明の効果】
請求項１及び請求項２記載の出窓エアコン固定構造によれば、室内機と室外機とを一体化したエアコン本体を、出窓サッシの下方空間に設けたエアコン収納空間へ納める作業を簡易化することができた、という効果がある。
【図面の簡単な説明】
【図１】出窓サッシを室内側から見た正面図である。
【図２】実施例の垂直断面図である。
【図３】エアコンユニットを示す正面図である。
【図４】エアコンユニットを示す側面図である。
【図５】エアコンユニットを示す底面図である。
【図６】実開昭５７−１２５９２１号に示される出窓エアコンを示す概略図である。
【符号の説明】
１…出窓サッシ収納空間、２…出窓サッシ、３…エアコンの室内機、４…エアコンの室外機、１０…構造材、１１…壁パネル、１２…内壁材、１３…外壁材、１４…充填材、２１…出窓屋根材、２１Ａ…屋根芯材、２１Ｂ…防水薄板、２２…内壁材、２３…取り付け補助材、２４…出窓下材、２４Ａ…出窓下芯材、２４Ｂ…防水薄板、２５…化粧板、２６…アングル材、２７…埋め込み固定部材、３１…エアコンユニット支持板、３１Ａ…支持板芯材、３１Ｂ…防水薄板、３２…アングル材、３３…埋め込み固定部材、３４…室外側支持部材、３４Ａ…ストッパー、３４Ｂ…緩衝材、３５…中間支持部材、３５Ａ…緩衝材、３６…室内側支持部材、３６Ａ…緩衝材、３７…ローラー、３８…室内排水構造、３８Ａ…室内水排水空間、３８Ｂ…ドレン水排水パイプ、３９…室外排水構造、３９Ａ…雨水排水空間、３９Ｂ…雨水排水パイプ、４０…出窓サッシ、５０…エアコンユニット、５０Ａ…底板下表面、５１…室内機ユニット、５１Ａ…室内吸い込み口、５１Ｂ…室内吹出口、５２…室内ルーバー、５３…ドレン穴、５４…水切り板、５５…室外機ユニット、５５Ａ…室外吸い込み口、５５Ｂ…室外吹出口、５６…室外ルーバー、５７…雨水排水穴。
【図１】
0003611584.tif 000002
【図２】
0003611584.tif 000003
【図３】
0003611584.tif 000004
【図４】
0003611584.tif 000005
【図５】
0003611584.tif 000006
【図６】
0003611584.tif 000007